(57)【特許請求の範囲】
【請求項１】
地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察面とを有し、
前記観察面は、前記基台の前記プレー面とは相対移動可能に設けられるとともに、該観察面を常に水平に維持する水平維持具を具え、
前記基台は、地面まで貫通した開口部を有することにより、前記開口部の周りに環状の前記プレー面を具え、
前記水平維持具は、前記開口部に配されかつ前記地面に設置された支持材からなり、
前記観察面は、前記支持材に支持される板状体の上面にて形成されることを特徴とする傾斜プレー面の形成装置。
【請求項２】
前記基台は、前記開口部を囲む内側壁部を有し、該内側壁部の前記開口部側を向く内面には、前記プレー面と平行な目盛が表示されている請求項１記載の傾斜プレー面の形成装置。
【請求項３】
地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察面とを有し、
前記観察面は、前記基台の前記プレー面とは相対移動可能に設けられるとともに、該観察面を常に水平に維持する水平維持具を具え、
前記水平維持具は、前記基台の上面で開口し、かつ内部に液体が蓄えられた器状部からなり、
前記観察面は、前記液面に浮かぶ板状体の上面にて形成されることを特徴とする傾斜プレー面の形成装置。
【請求項４】
地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察直線とを有し、
前記観察直線は、前記基台の前記プレー面とは相対移動可能に設けられるとともに、該観察直線を常に水平に維持する水平維持具を具え、
前記基台は、地面まで貫通した開口部を有することにより、前記開口部の周りに環状の前記プレー面を具え、
前記水平維持具は、前記開口部に配されかつ前記地面に設置された支持材からなり、
前記観察直線は、前記支持材に支持される板状体の側壁に表示され、かつ板状体の上面と平行な目盛からなることを特徴とする傾斜プレー面の形成装置。
【請求項５】
前記基台は、外周部が多角形状をなし、前記傾け装置は、前記基台の少なくとも各角部に設けられた高さが調節可能な脚部材からなる請求項１乃至４のいずれかに記載の傾斜プレー面の形成装置。
【請求項６】
前記基台には、その上面を覆う複数の被覆材が設けられる請求項１乃至５のいずれかに記載の傾斜プレー面の形成装置。
【請求項７】
前記被覆材の少なくとも一つは、人工又は天然の芝材からなる請求項６記載の傾斜プレー面の形成装置。
【請求項８】
前記被覆材の少なくとも一つは、カップ穴が設けられる請求項６又は７記載の傾斜プレー面の形成装置。
【請求項９】
前記被覆材の少なくとも一つは、砂、土、石、又は水が蓄えられる貯溜部からなる請求項６乃至８のいずれかに記載の傾斜プレー面の形成装置。
【請求項１０】
前記基台は、外周部に、手摺が設けられた請求項１乃至９のいずれかに記載の傾斜プレー面の形成装置。
【請求項１１】
前記プレー面には、使用者又は球の進行方向と直角な幅方向の両端側から、中央部側に向かって、前記進行方向に傾斜してのびる誘導板が設けられ、
前記誘導板は、前記進行方向に向かって、前記プレー面から上方に傾斜し、かつその上を通過する使用者又は球を、前記プレー面の中央部側に誘導する請求項１乃至１０のいずれかに記載の傾斜プレー面の形成装置。
【請求項１２】
前記誘導板は、前記進行方向に向かって隔設される請求項１１に記載の傾斜プレー面の形成装置。
【請求項１３】
前記誘導板は、前記幅方向の両側縁が、前記進行方向と平行のびる平行四辺形状に形成される請求項１１又は１２記載の傾斜プレー面の形成装置。
【発明の詳細な説明】
【技術分野】
【０００１】
本発明は、使用者が歩行可能、又は球が転動可能なプレー面を３次元に傾斜させ得る傾斜プレー面の形成装置に関し、詳しくは、プレー面の傾斜角度を、使用者に感覚として容易に把握させることができる傾斜プレー面の形成装置に関する。
【背景技術】
【０００２】
従来より、使用者が歩行可能、又は球が転動可能なプレー面を有するゴルフ練習装置が提案されている（例えば、下記特許文献１参照）。このようなゴルフ練習装置は、プレー面が傾斜して形成されているため、ゴルフ場で遭遇する傾斜面を想定したパターやスイングの練習を行うのに役立つ。
【先行技術文献】
【特許文献】
【０００３】
【特許文献１】特開２０１０−２６４１４４号公報
【発明の概要】
【発明が解決しようとする課題】
【０００４】
一般に、ゴルファーは、ゴルフ場での傾斜面からのショットやパットを正確に行うために、該傾斜面の該水平面に対する傾斜角度がどの程度かを感覚として把握してボールを打ち出している。
【０００５】
しかしながら、上記のようなゴルフ練習装置では、プレー面の傾斜角度を感じることが難しく、練習効率を十分に向上できないという問題があった。
【０００６】
また、歩行リハビリテーションの場面においても、実際に歩いている歩行面の傾斜角度を感じながら歩行する訓練が有効であり、高齢者等が楽しく行うことができ、かつ歩行機能を長く維持する為の装置が求められていた。
【０００７】
本発明は、以上のような実状に鑑み案出されたもので、プレー面を有する基台と、プレー面を傾斜させる傾け装置、使用者が視認可能な観察面、及び観察面を常に水平に維持する水平維持具を具えることを基本として、プレー面の傾斜角度を、使用者に感覚として容易に把握させることができる傾斜プレー面の形成装置を提供することを主たる目的としている。
【課題を解決するための手段】
【０００８】
本発明のうち請求項１記載の発明は、地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察面とを有し、前記観察面は、前記基台の前記プレー面とは相対移動可能に設けられるとともに、該観察面を常に水平に維持する水平維持具を具え、前記基台は、地面まで貫通した開口部を有することにより、前記開口部の周りに環状の前記プレー面を具え、前記水平維持具は、前記開口部に配されかつ前記地面に設置された支持材からなり、前記観察面は、前記支持材に支持される板状体の上面にて形成されることを特徴とする。
【００１０】
また、請求項２記載の発明は、前記基台は、前記開口部を囲む内側壁部を有し、該内側壁部の前記開口部側を向く内面には、前記プレー面と平行な目盛が表示されている請求項２記載の傾斜プレー面の形成装置である。
【００１１】
また、請求項３記載の発明は、地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察面とを有し、前記観察面は、前記基台の前記プレー面とは相対移動可能に設けられるとともに、該観察面を常に水平に維持する水平維持具を具え、前記水平維持具は、前記基台の上面で開口し、かつ内部に液体が蓄えられた器状部からなり、前記観察面は、前記液面に浮かぶ板状体の上面にて形成されることを特徴とする。
【００１２】
また、請求項４記載の発明は、地面に置かれかつ上面に使用者が歩行可能、又は球が転動可能なプレー面を有する基台と、前記プレー面を三次元に傾斜させる傾け装置と、前記使用者が視認可能に前記プレー面と隣接して設けられた観察直線とを有し、前記観察直線は、前記基台の前記プレー面とは相対移動可能に設けられるとともに、該観察直線を常に水平に維持する水平維持具を具え、前記基台は、地面まで貫通した開口部を有することにより、前記開口部の周りに環状の前記プレー面を具え、前記水平維持具は、前記開口部に配されかつ前記地面に設置された支持材からなり、前記観察直線は、前記支持材に支持される板状体の側壁に表示され、かつ板状体の上面と平行な目盛からなることを特徴とする。
【００１４】
また、請求項５記載の発明は、前記基台は、外周部が多角形状をなし、前記傾け装置は、前記基台の少なくとも各角部に設けられた高さが調節可能な脚部材からなる請求項１乃至４のいずれかに記載の傾斜プレー面の形成装置である。
【００１５】
また、請求項６記載の発明は、前記基台には、その上面を覆う複数の被覆材が設けられる請求項１乃至５のいずれかに記載の傾斜プレー面の形成装置である。
【００１６】
また、請求項７記載の発明は、前記被覆材の少なくとも一つは、人工又は天然の芝材からなる請求項６記載の傾斜プレー面の形成装置である。
【００１７】
また、請求項８記載の発明は、前記被覆材の少なくとも一つは、カップ穴が設けられる請求項６又は７記載の傾斜プレー面の形成装置である。
【００１８】
また、請求項９記載の発明は、前記被覆材の少なくとも一つは、砂、土、石、又は水が蓄えられる貯溜部からなる請求項６乃至８の何れかに記載の傾斜プレー面の形成装置である。
【００１９】
また、請求項１０記載の発明は、前記基台は、外周部に、手摺が設けられた請求項１乃至９のいずれかに記載の傾斜プレー面の形成装置である。
【００２０】
また、請求項１１記載の発明は、前記プレー面には、使用者又は球の進行方向と直角な幅方向の両端側から、中央部側に向かって、前記進行方向に傾斜してのびる誘導板が設けられ、前記誘導板は、前記進行方向に向かって、前記プレー面から上方に傾斜し、かつその上を通過する使用者又は球を、前記プレー面の中央部側に誘導する請求項１乃至１０のいずれかに記載の傾斜プレー面の形成装置である。
【００２１】
また、請求項１２記載の発明は、前記誘導板は、前記進行方向に向かって隔設される請求項１１に記載の傾斜プレー面の形成装置である。
【００２２】
また、請求項１３記載の発明は、前記誘導板は、前記幅方向の両側縁が、前記進行方向と平行のびる平行四辺形状に形成される請求項１１又は１２記載の傾斜プレー面の形成装置である。
【発明の効果】
【００２３】
本発明の傾斜プレー面の形成装置は、地面に置かれかつ上面に使用者が歩行可能、又は球が転動可能なプレー面を有する基台と、プレー面を三次元に傾斜させる傾け装置と、使用者が視認可能にプレー面と隣接して設けられた観察面とを有する。
【００２４】
この観察面は、基台の前記プレー面とは相対移動可能に設けられるとともに、該観察面を常に水平に維持する水平維持具が設けられる。
【００２５】
このような傾斜プレー面の形成装置は、プレー面を容易に傾斜させることができるとともに、使用者に、傾斜したプレー面と水平な観察面との両方を、同時に視認させることによって、プレー面の傾斜角度を、使用者に感覚として容易に把握させることができる。
【図面の簡単な説明】
【００２６】
【図１】本実施形態の傾斜プレー面の形成装置を示す斜視図である。
【図２】図１の平面図である。
【図３】図２のＡ−Ａ断面図である。
【図４】誘導板を拡大して示す斜視図である。
【図５】（ａ）は多角形の基台を示す平面図  、（ｂ）は円形の基台を示す平面図である。
【図６】他の実施形態の水平維持具を示す断面図である。
【図７】（ａ）は他の実施形態の傾斜プレー面の形成装置を示す部分斜視図、（ｂ）は（ａ）のＢ−Ｂ断面図である。
【図８】他の実施形態の傾斜プレー面の形成装置を示す斜視図である。
【発明を実施するための形態】
【００２７】
以下、本発明の実施の一形態が図面に基づき説明される。
図１〜図３に示されるように、本実施形態の傾斜プレー面の形成装置（以下、単に「装置」ということがある）１は、屋外又は屋内の地面Ｅに置かれかつプレー面２Ｓを有する基台２、前記プレー面２Ｓを三次元に傾斜させる傾け装置３、及びプレー面２Ｓと隣接して設けられる観察面４を有し、この実施形態では、パター練習装置として構成される。
【００２８】
前記基台２は、平面視において多角形状、本実施形態では略矩形状に形成される。また、本実施形態の基台２には、その中央部に地面Ｅまで貫通し、かつ平面視において略矩形状に形成された開口部５が設けられる。これにより、基台２には、開口部５の周りに、使用者Ｕが歩行可能、又は球Ｂが転動可能な、環状のプレー面２Ｓが形成される。
【００２９】
図３に示されるように、前記基台２は、例えば、その上面にプレー面２Ｓが形成される床材６と、該床材６の下部に配される床フレーム７と、該床フレーム７から地面Ｅにのびる脚部８とを有する。さらに、本実施形態の基台２は、開口部５を囲む小高さの内側壁部１９と、該基台２の外周部に配される小高さの外側壁部２０とを含む。
【００３０】
本実施形態の床材６は、例えば、前記床フレーム７の上に固着される複数の板材６Ａと、該板材６Ａの上側を覆い、かつプレー面２Ｓが形成される複数の被覆材６Ｂとを含む。
【００３１】
前記被覆材６Ｂは、例えば略矩形状に形成され、本実施形態では、人工又は天然の芝材２６からなる。また、被覆材６Ｂは、前記板材６Ａの上に取り外し可能に配置される。さらに、本実施形態では、被覆材６Ｂを上下に貫通して形成したパター練習用のカップ穴１０が２つ設けられる。
【００３２】
このような被覆材６Ｂは、該被覆材６Ｂの配置替えや交換を行うことにより、プレー面２Ｓのカスタマイズやメンテナンスを容易に行うことができる。また、被覆材６Ｂには、芝材２６の芝目、長さ、又は球Ｂの転がり抵抗等が異なるものが含まれることにより、バリエーションに富んだパターコースを形成できる。
【００３３】
図１及び図２に示されるように、被覆材６Ｂには、平面視において、円形状に形成された円形被覆材６Ｂａが設けられる。この円形被覆材６Ｂａの上面には、その中心から放射状にのびる放射目盛１１ａが設けられる。
【００３４】
このような円形被覆材６Ｂａは、使用者Ｕが放射目盛１１ａを確認しながら球Ｂを打ち出すことにより、球Ｂの方向性や角度を容易に把握でき、効率的な練習を行うのに役立つ。さらに、円形被覆材６Ｂａは、他の被覆材６Ｂと同様に、プレー面２Ｓに取り外し可能に配置されるため、該円形被覆材６Ｂａを垂直軸周りに回転させることにより、放射目盛１１ａを任意の方向に配置できる。
【００３５】
また、円形被覆材６Ｂａの外周を囲む外側被覆材６Ｂｂには、球Ｂの進行方向Ｗと平行にのびる基準目盛１１ｂが設けられる。この基準目盛１１ｂに、放射目盛１１ａを一致させることにより、該放射目盛１１ａを進行方向Ｗに容易に一致させて、円形被覆材６Ｂａを配置することができる。
【００３６】
図２及び図４に示されるように、本実施形態の被覆材６Ｂの上面には、前記進行方向Ｗと直角な幅方向の両端６Ｂｔ、６Ｂｔ側から、中央部側に向かって、進行方向Ｗに傾斜してのびる薄板状の誘導板２７が設けられる。
【００３７】
この誘導板２７は、プレー面２Ｓから上方に傾斜してのび、かつそのプレー面２Ｓに対する角度α２が１〜１５度程度に設定される。また、誘導板２７は、その幅方向の両側縁２７ｔ、２７ｔが進行方向Ｗと平行のび、平面視平行四辺形状に形成される。さらに、誘導板２７と被覆材６Ｂとの間には、該誘導板２７を支持する支持部材（図示省略）が配される。
【００３８】
このような誘導板２７は、被覆材６Ｂの進行方向Ｗの両端６Ｂｔ、６Ｂｔ側に反れた球Ｂを通過させることにより、その上下方向及びプレー面２Ｓの中央部側への傾斜によって、該球Ｂを前記中央部側に修正することができる。
【００３９】
従って、誘導板２７は、球Ｂが思わぬ方向に転動するのを抑制でき、初心者や高齢者等でも、安全かつ楽しくパター練習を行うことができる。なお、誘導板２７は、タイヤ周方向に対する角度α１（図２に示す）が３０〜４５度が望ましい。
【００４０】
図１、図２に示されるように、誘導板２７は、進行方向Ｗに向かって隔設されるのが望ましい。これにより、複数の誘導板２７は、前記球Ｂを、プレー面２Ｓの中央部側にスムーズに誘導することができる。また、複数の誘導板２７は、進行方向Ｗに向かってのびるため、使用者Ｕに進行方向Ｗを示す表示部として形成できる。これにより、装置１を初めて使用する初心者に対しても、パター練習をスムーズに進行させることができる。
【００４１】
また、本実施形態の被覆材６Ｂには、砂、土、石又は水が蓄えられる盆状の貯溜部２８からなるものが含まれる。このような貯溜部２８は、ゴルフ場におけるバンカーや池を再現することができ、バリエーションに富んだパターコースを形成できる。
【００４２】
図３に示されるように、前記床フレーム７は、基台２の外周部に配される枠材７ａと、該枠材７ａ、７ａ間をのびる根太７ｂとを含み、例えば、図示しない接合金物等で固着される。
【００４３】
図２、図３、及び図５（ａ）に示されるように、前記脚部８は、基台２の少なくとも各角部２Ｃ、本実施形態では、各角部２Ｃ及び開口部５の各角部２Ｄにそれぞれ設けられる。
【００４４】
ここで、基台２の角部２Ｃとは、多角形からなる基台２の頂点２ｔ付近を意味し、該頂点２ｔから基台２の内側又は外側に偏って配置されるものも含む。同様に、開口部５の角部２Ｄは、多角形からなる開口部５の頂点５ｔ付近を意味し、該頂点２ｔから基台２の内側、又は外側にはみ出して配置されるものも含む。
【００４５】
このように、脚部８は、基台２の各角部２Ｃに配置されるため、該基台２をバランスよくかつ安定して支持できる。また、本実施形態の脚部８は、開口部５の各角部２Ｄにも形成されるため、基台２をよりバランスよくかつ安定して支持できる。なお、脚部８は、各角部２Ｃ及び２Ｄに限定されることなく、必要に応じてより多く配置することができる。
【００４６】
また、図５（ｂ）に示されるように、基台２や開口部５が円形をなして各角部がない場合は、該基台２の外周及び開口部５の内周に、等間隔で複数個配置されるのが望ましい。
【００４７】
図３に示されるように、前記脚部８は、前記床フレーム７から下方に突出して設けられ、本実施形態では略筒状に形成される。また、各脚部８には、その下端で開口するネジ穴８ｈがそれぞれ設けられる。
【００４８】
図１及び図３に示されるように、前記内側壁部１９は、開口部５の各内面に配される複数の板材からなる。本実施形態の内側壁部１９の上面１９ｕは、プレー面２Ｓと平行に形成される。
【００４９】
また、隣り合う内側壁部１９、１９の入隅には、平面視三角形状の継材２４が設けられる。このような継材２４は、内側壁部１９、１９の入隅における強度を向上させることができる。
【００５０】
また、本実施形態の内側壁部１９及び継材２４には、開口部５の内側を向く内面に、プレー面２Ｓと平行な目盛１２が表示される。
【００５１】
前記目盛１２は、基台２の高さ方向に複数本設けられる。また、目盛１２は、図１に示されるように、開口部５で隣り合う内側壁部１９、１９間及び継材２４を跨って連続して設けられる。
【００５２】
前記傾け装置３は、基台２の各角部２Ｃにおいて、各脚部８の下端から下方に突出する脚部材３Ａからなる。本実施形態の脚部材３Ａは、脚部８のネジ穴８ｈに螺合するネジ部３ａと、該ネジ部３ａの下端で鍔状にのびるフランジ３ｂとを含み、アジャスターボルトとして構成される。また、ネジ部３ａとフランジ３ｂとの間には、球ジョイント３ｃが設けられる。
【００５３】
このような傾け装置３は、各脚部８の下端からの突出長さをそれぞれ異ならせることにより、基台２のプレー面２Ｓを、地面Ｅに対して三次元に傾斜させることができる。なお、本実施形態では、傾け装置３がアジャスターボルトである場合が例示されたが、例えばジャッキ等で形成されてもよいことはいうまでもない。
【００５４】
また、脚部材３Ａには、前記フランジ３ｂの代わりに、地面Ｅを転動するキャスター（図示省略）が設けられてもよい。このようなキャスターは、装置１の移動や向き替えを容易に行うのに役立つ。
【００５５】
前記観察面４は、基台２の開口部５内に配される板状体１３の上面１３ｓ側に形成される。また、本実施形態の板状体１３には、開口部５に配されかつ地面Ｅに設置される水平維持具１４が設けられる。
【００５６】
図２に示されるように、前記観察面４は、平面視において、開口部５と近似し、かつ該開口部５よりもやや小さい輪郭形状に設定される。また、図３に示されるように、本実施形態の観察面４は、内側壁部１９の上端と下端との間に配置される。これにより、使用者Ｕ（図１に示す）は、開口部５から観察面４を視認できる。
【００５７】
本実施形態の板状体１３の上面１３ｓには、プレー面２Ｓと同様に、例えば芝材２６からなる被覆材６Ｂが配されている。これにより、装置１は、観察面４とプレー面２Ｓとの一体感を高めることができ、美観をさらに向上しうる。但し、被覆材６Ｂを、省略しても良いのはいうまでもない。
【００５８】
本実施形態の水平維持具１４は、板状体１３の各角部から地面Ｅにのび、かつ同高さに形成された複数の支持材１５からなる。このような支持材１５は、板状体１３を、基台２とは独立して支持できるため、該板状体１３の上面１３ｓをなす観察面４が基台２に干渉せず、ひいてはプレー面２Ｓとは相対移動可能に設けられる。従って、水平維持具１４は、基台２の傾斜に関わらず、観察面４を常に水平に維持できる。
【００５９】
また、前記支持材１５には、その下端で開口する孔部２９が設けられる。この孔部２９には、地面Ｅ側に突出するアジャスタボルト１６が螺合されるのが望ましい。このようなアジャスタボルト１６は、プレー面２Ｓの高さや、使用者Ｕ（図１に示す）の身長等に応じて、観察面４の高さや水平位置を調節でき、使用者Ｕ（図１に示す）に観察面４を確実に視認させることができる。
【００６０】
さらに、前記孔部２９は、板状体１３の上側で開口するとともに、アジャスタボルト１６の上端１６ｔに、ネジ溝（図示省略）が設けられるのが望ましい。これにより、アジャスタボルト１６のネジ溝に合ったドライバー（図示省略）を、観察面４側から孔部２９に挿入して、該アジャスタボルト１６を回転させることにより、観察面４の高さ等を容易に調節しうる。
【００６１】
図１に示されるように、パターをアドレスした使用者Ｕは、プレー面２Ｓと観察面４との両方を視認することができる。これにより、使用者Ｕは、プレー面２Ｓの傾斜角度を、感覚として容易に把握することができる。従って、使用者Ｕは、ゴルフ場における傾斜面からのアプローチと同様に、傾斜角度を感覚として把握することができるため、より実戦に近い効果的な練習を行うことができる。
【００６２】
また、本実施形態では、内側壁部１９には、目盛１２が表示されるため、例えば、使用者Ｕが、観察面４と目盛１２との両方を視認することにより、それらの角度差から傾斜角度をより正確に認識することができる。
【００６３】
さらに、内側壁部１９、１９の入隅に配される継材２４にも、目盛１２が表示されるため、開口部５の八方に該目盛１２を形成でき、使用者Ｕに、より確実に視認させることができる。
【００６４】
図６には、他の実施形態の水平維持具１４が示される。
この実施形態の水平維持具１４は、基台２の上面で開口し、かつ内部に液体２２が蓄えられた器状部２１からなる。この器状部２１には、観察面４を有する前記板状体１３が、液体２２の液面２２ｓに浮かべて配置されている。
【００６５】
本実施形態の器状部２１は、前記内側壁部１９と、該内側壁部１９の下端でプレー面２Ｓと平行にのびる底部２３とを有する。また、前記液体２２には、板状体１３を浮かせることができるものであれば特に限定されないが、例えば、水等が望ましい。
【００６６】
このような器状部２１は、該器状部２１が基台２とともに傾斜しても、液体２２の液面２２ｓが水平に維持されるため、該液面２２ｓ上に浮かぶ板状体１３の観察面４を、水平に維持できる。
【００６７】
なお、本実施形態では、観察面４が、器状部２１に蓄えられた液体２２の液面２２ｓに浮かぶ板状体１３の上面１３ｓに形成されるものが例示されたが、これに限定されるわけではなく、例えば、液体２２の液面２２ｓにて形成されるものでもよい。この場合、液体２２の液面２２ｓを効果的に視認させるために、該液体２２を着色してもよい。
【００６８】
図７（ａ）、（ｂ）には、他の実施形態の装置１が示される。
この実施形態では、前実施形態の観察面４（図１に示す）とは別に、使用者Ｕが視認可能に、プレー面２Ｓと隣接して設けられ、かつ常に水平に維持された観察直線３１が設けられる。この観察直線３１は、前記支持材１５に支持された前記板状体１３の側壁１３ｗに表示される。
【００６９】
前記観察直線３１は、板状体１３の上面１３ｓと平行な目盛３１ａからなり、該板状体１３の側壁１３ｗの全周に亘って連続して表示される。また、本実施形態の観察直線３１は、板状体１３の側壁１３ｗの上下方向に複数表示される。
【００７０】
このような観察直線３１は、板状体１３の上面１３ｓが、基台２の上方へ突出して配置されることにより、使用者Ｕ（図１に示す）に視認させることができる。これにより、使用者Ｕは、内側壁部１９の上面１９ｕよりも高い位置に配された観察直線３１とプレー面２Ｓとの両方を視認することにより、プレー面２Ｓの傾斜角度を感覚として容易に把握することができる。
【００７１】
また、本実施形態のように、内側壁部１９の上面１９ｕとプレー面２Ｓとが平行である場合には、観察直線３１と内側壁部１９の上面１９ｕとの両方を視認することにより、それらの角度差から、プレー面２Ｓの傾斜角度をより正確に認識することができる。この場合、内側壁部１９の上面１９ｕの視認性を高めるために、該上面１９ｕを着色するのが望ましい。
【００７２】
本実施形態の支持材１５にも、前記アジャスタボルト１６が設けられるのが望ましい。これにより、板状体１３の突出高さを調節できるため、観察直線３１を使用者Ｕ（図１に示す）に確実に視認させることができる。
【００７３】
図１〜７に示される装置１は、パター練習装置である場合が例示されたが、これに限定されるわけではなく、例えば、該装置１を小型化して、机等の上に設置された卓上パターゲームとして構成されても良いのはいうまでもない。
【００７４】
図８には、他の実施形態の装置１が示される。
この実施形態の装置１は、リハビリテーション用の歩行訓練台として構成される。この装置１は、基台２の外周部に、使用者Ｕが把持する手摺１７ａが設けられる。これにより、使用者Ｕは、手摺１７ａを把持しながら、観察面４及びプレー面（歩行面）２Ｓを同時に視認して、プレー面２Ｓの傾斜角度を感覚として把握し、右上り、左上り、右下り、及び左下り等の坂道を心構えをして歩行訓練できる。
【００７５】
また、装置１には、開口部５の周りにも、手摺１７ｂが形成されるのが望ましい。これにより、使用者Ｕは、両手で手摺１７ａ、１７ｂを把持しながら歩行訓練できるため、安全性をさらに向上しうる。
【００７６】
さらに、装置１は、プレー面２Ｓに隣接し、かつ地面Ｅに設置されるスロープ１８を有するのが望ましい。これにより、使用者Ｕは、地面Ｅからプレー面２Ｓに、容易かつ安全に上り下りすることができる。
【００７７】
また、本実施形態の被覆材６Ｂにも、砂、土又は石等が配された貯溜部２８が含まれるのが望ましい。このような貯溜部２８は、実際の砂路等を再現しうるとともに、これらが入れ替えられることによって、バリエーションに富んだ歩行面を形成することができる。さらに、貯溜部２８内の砂、土又は石により、使用者Ｕの足裏を刺激することができるため、使用者は、楽しくかつ心地よくリハビリテーションを行うことができる。
【００７８】
さらに、貯溜部２８には、例えば４０〜５０℃程度のお湯が配されてもよい。これにより、使用者Ｕは、脚の疲れやストレスを、歩行しながら癒すことができ、気持の良くリハビリテーションを行うことができる。
【００７９】
また、本実施形態の被覆材６Ｂにも、誘導板２７が設けられるのが望ましい。これにより、使用者Ｕは、誘導板２７を踏むことによって与えられる足裏への刺激により、被覆材６Ｂの両端６Ｂｔ側に反れて歩行していることを容易に認識することができる。従って、誘導板２７は、使用者Ｕを歩行面の中央部側に誘導できるため、安全かつ効率的なリハビリテーションを行うのに役立つ。
【００８０】
なお、この実施形態の装置１は、屋外又は屋内の地面Ｅの上に設置されるものが例示されたが、これに限定されるわけではなく、例えば、プールの床に設置されることにより、水中での歩行訓練を行うことができる。
【００８１】
以上、本発明の特に好ましい実施形態について詳述したが、本発明は図示の実施形態に限定されることなく、種々の態様に変形して実施しうる。
【符号の説明】
【００８２】
１    傾斜プレー面の形成装置
２    基台
２Ｓ  プレー面
３    傾け装置
４    観察面
１４    水平維持装置
Ｕ    使用者
【図１】
0005385963.tif 000002
【図２】
0005385963.tif 000003
【図３】
0005385963.tif 000004
【図４】
0005385963.tif 000005
【図５】
0005385963.tif 000006
【図６】
0005385963.tif 000007
【図７】
0005385963.tif 000008
【図８】
0005385963.tif 000009